(57)【要約】【課題】ＲＣ造及び／又はＳＲＣ造の建物を、騒音や振動の発生、粉塵の飛散を抑えつつ効率的に解体することを可能にする建物の解体方法を提供する。【解決手段】ワイヤーソー１６を建物構成部材４、６の手前から奥側に切り込ませる押し切り方式で建物構成部材４、６を切断するようにし、ワイヤーソー１６が切り込まれて形成される切断溝２７を間にして分離側の建物構成部材４、６と非分離側の建物構成部材４、６とにそれぞれアンカーボルト３３を固設し、切断溝２７が形成されるとともに、複数のアンカーボルト３３をそれぞれ固定プレート３１のボルト挿通孔に挿通させつつナットを締結して固定プレート３１を設置する。これにより、固定プレート３１によって分離側の建物構成部材４、６と非分離側の建物構成部材４、６を着脱可能に連結して保持する。【選択図】図１２
2014201935.tif 000002
【特許請求の範囲】
【請求項１】
ＲＣ造及び／又はＳＲＣ造の建物構成部材を備えて構築された建物を解体する方法であって、
ワイヤーソー装置を用い、ワイヤーソーを前記建物構成部材の手前から奥側に切り込ませる押し切り方式で前記建物構成部材を切断するようにし、
前記ワイヤーソーが切り込まれて形成される切断溝を間にして分離側の建物構成部材と非分離側の建物構成部材とにそれぞれアンカーボルトを固設し、
前記ワイヤーソーを切り込んで前記切断溝が形成されるとともに、複数の前記アンカーボルトをそれぞれ固定プレートのボルト挿通孔に挿通させつつナットを締結して固定プレートを設置し、該固定プレートによって分離側の建物構成部材と非分離側の建物構成部材を着脱可能に連結して保持するようにしたことを特徴とする建物の解体方法。
【請求項２】
請求項１記載の建物の解体方法において、
前記固定プレートの複数の前記ボルト挿通孔がそれぞれ、一方向に延びて前記固定プレートの一端部で開口する長孔状でスリット状に形成されており、
前記ワイヤーソーと前記切断溝が形成された前記建物構成部材の外面との間に前記固定プレートを挿入するとともに前記一方向にスライド移動させて前記ボルト挿通孔に前記アンカーボルトを挿通し、前記固定プレートを設置することを特徴とする建物の解体方法。
【請求項３】
請求項２記載の建物の解体方法において、
前記固定プレートを設置した後に、補強プレートのボルト挿通孔に前記アンカーボルトを挿通し、前記固定プレートに前記補強プレートを重ねた状態でナットを締結することを特徴とする建物の解体方法。
【請求項４】
請求項１から請求項３のいずれか一項に記載の建物の解体方法において、
前記ワイヤーソーが切り込まれて順次形成される前記切断溝にクサビ部材を打ち込むようにし、前記クサビ部材を打ち込んだ状態で前記固定プレートを設置することを特徴とする建物の解体方法。
【発明の詳細な説明】
【技術分野】
【０００１】
本発明は、建物の解体方法に関し、特に、ＲＣ造及び／又はＳＲＣ造の建物構成部材を備えて構築された建物を解体する方法に関する。
【背景技術】
【０００２】
例えばオフィスビルなどの建物を解体するにあたり、建物がＳ造（鉄骨造）の場合には、床や梁、柱、壁などの建物構成部材を階層ごとに破砕や部材単体状に解体し、粉砕されたガラや廃材は、破砕機により、開口部より、地上階まで落下させて、搬出し、解体工事を進めてゆく。また、例えば敷地が狭い場合や建物が高層の場合には、タワークレーンを揚重機として使用し、上層階から順に建物を解体してゆく。
【０００３】
より具体的に、Ｓ造の建物を解体する場合には、Ｈ形鋼などの鉄骨の梁や柱を予め支保工やプレートを仮設して支持しておき、ガスバーナなどの切断機や、油圧ショベルのアタッチメントをバケットからカッターに付け替えた解体作業機を用いて切断して、鉄骨部材を解体する。あるいは、ガスバーナなどで鉄骨部材の一部分残すように切断した段階でタワークレーンなどの揚重機で切断解体対象の鉄骨部材を吊り下げ支持し、この状態で残りの鉄骨部分を完全に切断し、分離した鉄骨部材を揚重機で地上に吊り下す（例えば、特許文献１参照）。
【０００４】
一方、ＲＣ造（鉄筋コンクリート造）及び／又はＳＲＣ造（鉄骨鉄筋コンクリート造）の建物を解体する場合には、一般に、油圧ショベルのアタッチメントをバケットからブレーカに付け替えた解体作業機（破砕機）を用い、コンクリートを破砕し、内部の鉄骨や鉄筋をガスバーナなどの切断機で切断したり、アタッチメントをカッターに付け替えて切断するようにしている。
【０００５】
しかしながら、ＲＣ造、ＳＲＣ造の建物をブレーカやカッターを用いて破砕、切断する場合には、大きな騒音や振動が発生し、また、粉塵が飛散するなど、近隣や作業現場内の環境上の悪影響が大きい。このため、解体現場周辺の状況によっては、作業の中断を求められたり、作業時間の短縮を求められることもある。さらに、解体作業時に、柱や壁が倒壊する事故が発生した事例もあり、ＲＣ造、ＳＲＣ造の解体工事は特に安全性の点で注意が必要とされる。
【０００６】
また、大型の鉄骨部材を破断するため、大型の解体作業機（破砕機）が必要となる。さらに、この大型重機の重量に耐えるために作業床の補強が必要になることも多い。そして、この場合には、例えば、下階から仮設の支保工などで床の補強を行った上で対象階の解体作業を行うようにしており、床の補強に多大な労力と時間、コストが必要になる。また、大型の鉄骨を破断する際に解体作業機のカッターの刃が欠けることもよくあり、ＲＣ造、ＳＲＣ造の解体工事では、アタッチメントの交換頻度が高く、このような点からも高コストになる。
【０００７】
これに対し、ワイヤーソー（ワイヤーソー装置）を用いてコンクリートと鉄骨や鉄筋を同時に切断し、ＲＣ造、ＳＲＣ造の梁や柱、壁などの建物構成部材を解体する方法が実用化されている。ワイヤーソー装置は、複数のプーリーに無端状のワイヤーソーが巻き掛けられ、駆動プーリーの駆動によって順次一方向にワイヤーソーが回動する。そして、この回動するワイヤーソーを切り込ませることにより、ＲＣ造、ＳＲＣ造の建物構成部材を切削し、切断することができ、騒音や振動の発生、粉塵の飛散などを抑えて解体作業を進めることができる。
【０００８】
また、一般に、建物構成部材をワイヤーソー装置で切断する際には、切断対象の部材に予めワイヤーソーを巻き掛けてセットし、回動するワイヤーソーを部材の裏手側から切り込ませ、順次手前に引き付けながら（引き込みながら）部材を切削してゆく。すなわち、切削時にワイヤーソーの切込力の調整が容易で、所望の切込力を容易に得ることができるなどの点から、引き切り方式のワイヤーソー装置を用いてＲＣ造、ＳＲＣ造の部材を切断するようにしている。
【先行技術文献】
【特許文献】
【０００９】
【特許文献１】特開２０１２−１９０２号公報
【発明の概要】
【発明が解決しようとする課題】
【００１０】
しかしながら、引き切り方式のワイヤーソー装置で、ＲＣ造、ＳＲＣ造の建物構成部材を切断して解体する場合には、切断作業時に無端状のワイヤーソーの内部に切断対象の部材が配されるように、高所に上って予め切断対象の部材にワイヤーソーを巻き掛けてセットする装置設置作業が必要になる。そして、作業中の段取り替えを含め、このワイヤーソーを巻き掛ける装置設置作業が多大な時間と労力を要し、作業効率を悪化させる一要因となっていた。
【００１１】
また、ワイヤーソーを引き付けながら部材を切削してゆくため、ワイヤーソーを引き付ける反力が必要になる。このため、例えば、ワイヤーソー装置の本体部分を切断対象の部材にアンカーで固定するなどの段取りが必要になり、この段取り作業も作業効率を悪化させる要因となっている。さらに、作業者によるワイヤーソー装置操作側に対し、切断対象の部材の裏側からワイヤーソーを切り込ませ切削してゆくことになるため、冷却水の供給や放水方向の調整などの段取りや作業中の調整にも多大な労力を要する。
【００１２】
さらに、ワイヤーソーを部材に巻き掛けて切断作業を行う場合には、切断作業時にオープンな環境で長いワイヤーソーが回動している状態になる。このため、ワイヤーソーの安定性を確保したり、切断作業周辺への他者の出入りを規制する措置が必要になるなど、作業の安全性を確保するための対策にも多大な労力を要する。
【００１３】
また、ワイヤーソーを部材に巻き掛けて切断作業を行う場合には、最低でも２人の作業者が必要になり、１人の作業者で切断作業を行えるようにすることが、作業効率の向上、コストの削減の点から望まれていた。
【００１４】
さらに、切断したブロック状の部材をタワークレーンなどの揚重機で搬送撤去する場合に、切断作業時に一部を残すようにして部材を切削（切断）した段階で、玉掛けしてすぐに且つ簡単にガスバーナなどの切断機で完全切断し、部材を揚重機で吊り下げられるＳ造と異なり、ＲＣ造やＳＲＣ造をワイヤーソー装置で切断する際には、部材重量が大きいため、切断開始時から部材を確実に支持しておくことが必要になり、Ｓ造の部材の切断解体時のような吊り切り方式を採用することができない。このため、仮設の支保工を別途設けて切断対象の部材を支持したり、クレーンで切断対象の部材を切断開始時から常時吊り下げ支持した状態で切断作業を行うようにする必要が生じてしまう。特に、クレーンで切断開始時から常時吊り下げ支持して切断作業を行う場合には、クレーンの停止時間が長くなってしまい、作業効率が著しく悪化することになる。
【００１５】
また、解体作業時には、地震が発生することを考慮する必要もあり、確実に且つ効率的に切断対象の部材を保持する手法の開発が強く望まれていた。
【００１６】
本発明は、上記事情に鑑み、ＲＣ造及び／又はＳＲＣ造の建物を、騒音や振動の発生、粉塵の飛散を抑えつつ効率的に解体することを可能にする建物の解体方法を提供することを目的とする。
【課題を解決するための手段】
【００１７】
上記の目的を達するために、この発明は以下の手段を提供している。
【００１８】
本発明の建物の解体方法は、ＲＣ造及び／又はＳＲＣ造の建物構成部材を備えて構築された建物を解体する方法であって、ワイヤーソー装置を用い、ワイヤーソーを前記建物構成部材の手前から奥側に切り込ませる押し切り方式で前記建物構成部材を切断するようにし、前記ワイヤーソーが切り込まれて形成される切断溝を間にして分離側の建物構成部材と非分離側の建物構成部材とにそれぞれアンカーボルトを固設し、前記ワイヤーソーを切り込んで前記切断溝が形成されるとともに、複数の前記アンカーボルトをそれぞれ固定プレートのボルト挿通孔に挿通させつつナットを締結して固定プレートを設置し、該固定プレートによって分離側の建物構成部材と非分離側の建物構成部材を着脱可能に連結して保持するようにしたことを特徴とする。
【００１９】
この発明においては、柱部材や梁部材などの建物構成部材に押し切り方式でワイヤーソーを切り込ませて順次形成される切断溝を間にして、分離側の建物構成部材と非分離側の建物構成部材にそれぞれ固設されたアンカーボルトをボルト挿通孔に挿通し、ナットを締結することによって、建物構成部材の外面に固定プレートを設置でき、この固定プレートによって分離側の建物構成部材と非分離側の建物構成部材を一時的に連結して保持することが可能になる。これにより、クレーンで切断対象の建物構成部材を保持する必要がなく、搬送撤去するまでの間、切断分離した建物構成部材を安定した状態で保持することが可能になる。
【００２０】
また、本発明の建物の解体方法においては、前記固定プレートの複数の前記ボルト挿通孔がそれぞれ、一方向に延びて前記固定プレートの一端部で開口する長孔状でスリット状に形成されており、前記ワイヤーソーと前記切断溝が形成された前記建物構成部材の外面との間に前記固定プレートを挿入するとともに前記一方向にスライド移動させて前記ボルト挿通孔に前記アンカーボルトを挿通し、前記固定プレートを設置することが望ましい。
【００２１】
この発明において、ワイヤーソー装置を用いて押し切り方式で建物構成部材の切断を行う際に、ワイヤーソー装置のワイヤーソーと建物構成部材の外面との間に十分な大きさの隙間がない場合には、固定プレートの複数のボルト挿通孔をそれぞれ、固定プレートの一端部に開口する長孔状でスリット状に形成する。これにより、ワイヤーソー装置と建物構成部材の外面との間の小さな隙間に固定プレートを差し込み、一方向にスライドさせることで、各ボルト挿通孔にアンカーボルトを挿通させることができる。よって、アンカーボルトにナットを締結して固定プレートを設置することができ、ワイヤーソーと建物構成部材の外面との間に十分な大きさの隙間がない場合であっても、固定プレートによって分離側の建物構成部材と非分離側の建物構成部材を一時的に連結して保持することが可能になる。
【００２２】
さらに、本発明の建物の解体方法においては、前記固定プレートを設置した後に、補強プレートのボルト挿通孔に前記アンカーボルトを挿通し、前記固定プレートに前記補強プレートを重ねた状態でナットを締結することがより望ましい。
【００２３】
この発明においては、固定プレートを設置した後に、さらにアンカーボルトに挿通して補強プレートを固定プレートに重ねて設置することで、固定プレートに長孔状でスリット状にボルト挿通孔が形成されている場合であっても、補強プレートによって強度（耐力）を確保でき、十分な耐力で分離側の建物構成部材と非分離側の建物構成部材を連結して保持することが可能になる。
【００２４】
また、本発明の建物の解体方法においては、前記ワイヤーソーが切り込まれて順次形成される前記切断溝にクサビ部材を打ち込むようにし、前記クサビ部材を打ち込んだ状態で前記固定プレートを設置することがさらに望ましい。
【００２５】
この発明においては、建物構成部材を切断する際に、ワイヤーソーの進行に伴い、建物構成部材の外面に形成された切断溝にクサビ部材を打ち込むことで、切断溝の幅を確保することができる。これにより、建物構成部材の自重によって、切断溝（切断面）の間隔に応じて倒れが生じ、ワイヤーソーを挟み込んで、切断作業時にワイヤーソーに破断等が生じるおそれをなくすことができ、効率的に切断作業を行うことが可能になる。
【発明の効果】
【００２６】
本発明の建物の解体方法においては、柱部材や梁部材などの建物構成部材に押し切り方式でワイヤーソーを切り込ませて順次形成される切断溝を間にして、分離側の建物構成部材と非分離側の建物構成部材を固定プレートによって一時的に連結して保持することができる。これにより、クレーンで切断対象の建物構成部材を保持する必要がなく、搬送撤去するまでの間、切断分離した建物構成部材を安定した状態で保持することが可能になる。
【００２７】
よって、固定プレートによって固定されていることで、切断作業中に地震が発生しても、分離側の建物構成部材（切断対象の建物構成部材）が倒れることを防止できる。また、切断分離され、クレーンなどで搬送撤去される前の建物構成部材も、固定プレートで固定されていることにより倒れることを防止できる。
【００２８】
そして、本発明の建物の解体方法においては、固定プレートで固定し、切断対象の建物構成部材が安定した状態で保持されるため、押し切り方式のワイヤーソー装置で、建物の主要構成部材であるＲＣ造及び／又はＳＲＣ造の柱部材や梁部材などの建物構成部材を切断分離することができる。これにより、騒音や振動、粉塵の飛散量を大幅に低減させることが可能になり、従来のように作業の中断や、作業時間の短縮を求められることのない近隣や作業現場内の好適な環境を保持することが可能になり、解体工事を効率よく円滑に進めることが可能になる。
【００２９】
また、このように押し切り方式のワイヤーソー装置で柱部材や梁部材などの建物構成部材を切断分離できることで、引き切り方式と比較し、切断作業時に切断対象の建物構成部材にワイヤーソーを巻き掛けたり、ワイヤーソー装置の本体部をアンカーで部材に固定するなどの段取り作業が不要になり、効率的に部材の切断作業を行うことが可能になる。
【００３０】
また、押し切り方式のワイヤーソー装置を用いることで、１人の作業者で部材の切断作業を行うことが可能になり、さらなる作業効率の向上、コストの低減を図ることが可能になる。
【００３１】
さらに、引き切り方式のワイヤーソー装置のように、切断作業時にオープンな環境で長いワイヤーソーが回動している状態にならないため、ワイヤーソーの安定性を確保したり、切断作業周辺への他者の出入りを規制する措置、すなわち、作業の安全性を確保するための対策を軽減することも可能になる。
【００３２】
よって、本発明の建物の解体方法によれば、ＲＣ造及び／又はＳＲＣ造の建物を、確実に騒音や振動の発生、粉塵の飛散を抑えつつ効率的に解体することができ、特に、病院や学校の周辺、市街地などにおける解体工事に好適に用いることが可能になる。
【図面の簡単な説明】
【００３３】
【図１】本発明の一実施形態に係る建物の解体方法によって建物を解体している状態を示す斜視図である。
【図２】本発明の一実施形態に係る建物の解体方法で使用するワイヤーソー装置を示す図である。
【図３】図２のＸ１−Ｘ１線矢視図である。
【図４】本発明の一実施形態に係る建物の解体方法で使用するワイヤーソー装置を装着した解体作業機を示す図である。
【図５】本発明の一実施形態に係る建物の解体方法において、解体撤去する一階層の一部の床版部材の設定状態を示す図である。
【図６】本発明の一実施形態に係る建物の解体方法において、一階層の一部の床版部材を解体撤去した状態を示す図である。
【図７】本発明の一実施形態に係る建物の解体方法において、一階層の一部の床版部材を解体撤去して露出した一部の梁部材を解体撤去するとともに、他の部分の床版部材を解体撤去した状態を示す図である。
【図８】本発明の一実施形態に係る建物の解体方法において、一階層の一部の床版部材を解体撤去して露出した一部の柱部材を解体撤去するとともに、他の部分の床版部材を解体撤去して露出した梁部材を解体撤去した状態を示す図である。
【図９】本発明の一実施形態に係る建物の解体方法において、床版部材と梁部材と柱部材を順次解体撤去して、建物の各階層を上層階から順に解体している状態を示す図である。
【図１０】本発明の一実施形態に係る建物の解体方法において、床版部材の解体方法を示す斜視図である。
【図１１】本発明の一実施形態に係る建物の解体方法において、床版部材の解体方法を示す側面図である。
【図１２】本発明の一実施形態に係る建物の解体方法において、柱部材や梁部材の建物構成部材を押し切り方式のワイヤーソー装置で切断する際のクサビ部材の打ち込み、固定プレートの取付け手順を示す図である。
【図１３】本発明の一実施形態に係る建物の解体方法で用いる固定プレートを示す図である。
【図１４】切断分離した柱部材を固定プレートで固定した状態を示す図である。
【図１５】固定プレートの取付け状態を示す図である。
【図１６】図１５のＸ１−Ｘ１線矢視図である。
【図１７】切断分離した梁部材を固定プレートで固定した状態を示す図である。
【図１８】本発明の一実施形態に係る建物の解体方法において、切断分離した柱部材を他の固定プレートで固定した状態を示す図である。
【図１９】他の固定プレートを示す図である。
【発明を実施するための形態】
【００３４】
以下、図１から図１９を参照し、本発明の一実施形態に係る建物の解体方法について説明する。ここで、本実施形態においては、本発明に係る固定プレートを用いながら建物構成部材の柱部材（及び梁部材）を切断解体するが、この建物構成部材だけでなく、建物全体の床版部材や梁部材、柱部材などの建物構成部材を解体する方法として説明を行う。
【００３５】
はじめに、本実施形態の解体対象の建物は、例えば、オフィスビルなどの高層の建物であり、建物の柱や梁、壁や床の建物構成部材（床版部材、梁部材、柱部材、壁部材など）がＲＣ造及び／又はＳＲＣ造で構築されている。なお、本発明は、高層の建物への適用に限定する必要はなく、中低層の建物に対しても勿論適用可能である。
【００３６】
本実施形態の建物の解体方法では、建物を養生材で適宜覆い、建物の高層階（上階）から順次解体を行ってゆく。また、図１に示すように、例えば、建物１の高層階（上階）から順次ブロック状に解体した部材を吊り下すためのタワークレーン（揚重機）２が建物１のエレベータホールなどを利用して立設されている。さらに、本実施形態では、タワークレーン２で吊り下したブロック状の部材に対してさらなる解体・破砕処理（小割り処理）を施すための解体作業場が建物１の隣地に設けられている。
【００３７】
本実施形態の建物の解体方法では、建物１の床版部材３や梁部材４、壁部材５、柱部材６の建物構成部材の切断・解体手段としてワイヤーソー装置、ブレードカッター装置を使用する。
【００３８】
本実施形態のワイヤーソー装置１０は、図２及び図３に示すように、チルト機構付アダプター１１から直線状に突設するガイドレール１２と、ガイドレール１２の先端に取り付けられ、切断対象の部材（柱部材６、梁部材４）を把持する把持機構１３と、複数のプーリー（シーブ）１４、１５に無端状に巻き掛けられたワイヤーソー１６を駆動プーリー１５の回転駆動によって一方向に回動させるとともに、ガイドレール１２に案内されてワイヤーソー１６の一部を前後方向に進退させる切削機構１７とを備えて構成されている。また、ガイドレール１２を間に左右の両側にそれぞれ設けられたプーリー１４の少なくとも一部のプーリー１４は、切削機構１７の進退方向に沿って独自に進退可能に設けられている。
【００３９】
そして、本実施形態では、図４に示すように、ワイヤーソー装置１０を油圧ショベルのアーム１８ｃの先端に着脱可能に取り付けられたアタッチメントのバケットと付け替えて、ワイヤーソー装置１０を備える解体作業機１８が構成されている。また、この解体作業機１８は、運転席から作業者が１人でワイヤーソー装置１０の駆動操作、解体作業機１８の上部旋回体１８ａの旋回操作、上部旋回体１８ａに設けられたビーム１８ｂ、アーム１８ｃの仰伏操作、下部走行体１８ｄの駆動操作（走行操作）が行えるようになっている。
【００４０】
これにより、作業者が適宜操作を行って、解体作業機１８を自在に走行、旋回、アーム・ビームの仰伏操作することで、ＲＣ造及び／又はＳＲＣ造の梁部材４や柱部材６などの建物構成部材の任意の位置をワイヤーソー１６で効率的に切断できる。
【００４１】
そして、本実施形態の建物の解体方法では、建物１の建物構成部材を切断、解体する際に、極力、ワイヤーソー装置１０を多用するものとする。さらに、ワイヤーソー装置１０を使用して部材を切断する際に、ワイヤーソー１６を部材に巻き掛け、回動するワイヤーソー１６を手前に引き付け、奥側から部材に切り込ませる引き切り方式ではなく、回動するワイヤーソー１６を部材に手前から押し付けて切り込ませ、順次奥側に切削してゆく押し切り方式を極力多用するようにする。
【００４２】
このようにして本実施形態の建物の解体方法では、建物１の内部の梁部材（大梁）４と、柱部材６の切断分離には、ワイヤーソー装置１０を押し切り方式で使用し、建物１の外周部の梁部材（壁付大梁）４及び壁部材（全面壁）５、階段などの切断分離には、引き切り方式のワイヤーソー装置を使用する。また、床版部材３の切断分離には、回転するブレードを切り込ませて切断するブレードカッター装置（道路カッター、ウォールカッター、プランジカッター等）を使用し、袖壁や下り壁など、押し切り方式のワイヤーソー装置１０の適用寸法外の部材は、ブレードカッター装置を使用する。
【００４３】
すなわち、本実施形態の建物の解体方法では、高層の建物１の解体工事において、最もその解体に時間と労力を要し、また、注意を要する建物の１の梁部材４と柱部材６の切断分離に押し切り方式のワイヤーソー装置１０を適用するようにしている。
【００４４】
このように建物の１の梁部材４と柱部材６の切断分離に押し切り方式のワイヤーソー装置１０を適用するため、本実施形態の建物の解体方法では、図１、図５から図９に示すように、上層階（一階層）２０の建物構成部材である一部の床版部材３を先行して解体し、これら床版部材３の解体によって下層階（一階層２０の直下の他階層）２１の建物構成部材である一部の柱部材６と梁部材４を露出させる。
【００４５】
そして、下層階２１にワイヤーソー装置１０を装着した解体作業機１８を配置し、床版部材３を先行して解体撤去することによって露出した梁部材４と柱部材６をそれぞれ押し切り方式で切断して分離する。また、梁部材４と柱部材６をそれぞれ押し切り方式で切断分離してタワークレーン（揚重機）２で外部に搬送撤去する。
【００４６】
さらに、壁部材（壁付大梁及び全面壁）５、階段などを引き切り方式のワイヤーソー装置で切断分離し、順次タワークレーン２で外部に搬送撤去する。また、袖壁や下り壁などの押し切り方式のワイヤーソー装置１０の適用寸法外の部材をブレードカッター装置で切断分離して搬送撤去する。
【００４７】
このように、露出した梁部材４を解体した後に柱部材６を解体し、床版部材３、梁部材４、柱部材６などを順次解体し外部に搬送撤去しながら、建物１の各階層を上層階から順に解体してゆく。
【００４８】
ここで、より具体的に建物構成部材ごとの解体方法について説明する。
【００４９】
［床版部材の解体］
はじめに、床版部材３を解体する方法について説明する。
【００５０】
従来、Ｓ造の床版部材を解体する際には、床版部材をタワークレーン２などで吊り下げ支持しておき、小梁鉄骨を最後にガスバーナで切断分離し、搬送撤去する。そして、このＳ造の床版部材の小梁鉄骨は、ガスバーナを用いることにより短時間で切断できるため、クレーン２で床版部材を吊り下げ支持して待っている待機時間も少なくて済み、作業効率上の問題は少ない。
【００５１】
一方、本実施形態のようなＲＣ造、ＳＲＣ造の床版部材３の場合、小梁を切断する時間がかかるため、クレーン２で吊り下げ支持した状態で切断作業を行うとクレーン２の待機時間が非常に長くなってしまう。また、小梁がない場合の保持方法も問題になる。このため、下層階の床版部材３上に仮設のサポート架台（支保工）を設置して上層階の切断対象の床版部材３を支持しておくことが必要になり、これにより、仮設の盛替や設置など、多大な労力と時間、コストを要する。さらに、床版部材３を吊り上げるための玉掛け方法として、従来、床版部材３にコア抜きの孔を設け、ボルトとワイヤーを通す方法が多用されているが、コア抜き等によってこの玉掛け作業にも多大な手間を要する。
【００５２】
これに対し、本実施形態の建物の解体方法では、図１０及び図１１に示すように、床版部材３を切断作業時に保持するとともに、クレーン２による吊り上げ（吊り下し）時にワイヤーロープ等の索体２２を接続するための床版保持／吊下用部材２３を切断（解体）対象の床版部材３に取り付けるようにする。
【００５３】
本実施形態の床版保持／吊下用部材２３は、例えば、断面コ字状の溝形鋼２４と、溝形鋼２４の一対の側壁部２４ａと底板部２４ｂに端部を接続して設けられ、玉掛け用の吊り孔２５ａが貫通形成された吊り板２５とを備えて構成されている。また、溝形鋼２４の底板部２４ｂにはボルト挿通孔２４ｃが貫通形成されている。なお、この床版保持／吊下用部材２３は、所望の強度を備え、吊り孔２５ａとボルト挿通孔２４ｃを（それぞれ所定の位置に）備えていれば特にその形状を限定する必要はない。
【００５４】
このように形成された床版保持／吊下用部材２３は、切断対象の床版部材３にケミカルアンカーやホールインアンカーなどで取付ボルト（アンカーボルト）２６を取り付け、この取付ボルト２６をボルト挿通孔２４ｃに挿通しナットを締結することによって、床版部材３上に固設される。また、このとき、取付ボルト２６を取り付けるための孔を床版部材３に穿設する際に、床版部材３を貫通して取付孔を形成してもよく、この場合には、取付孔に取付ボルト２６を挿通するとともに床版部材３の下面側に設けた定着板とナットを用いて取付ボルト２６の下端側を固定することにより、床版部材３に床版保持／吊下用部材２３を着脱可能に取り付けることができる。
【００５５】
そして、床版部材３に対し、ウォールソーや道路カッター、プランジカッター等の回転するブレードを切り込ませて部材を切断するブレードカッター装置で切断を開始し、切断された箇所から順次床版保持／吊下用部材２３を取り付けてゆく。このとき、図１１に示すように、床版保持／吊下用部材２３は、切断線２７を跨ぐように設置される。これにより、床版部材３が切断によって分離された状態では、適宜所定の箇所に配設された複数の床版保持／吊下用部材２３が切断線２７を挟んで反対側の非分離側の部材に引っかかるように係止される。このため、床版部材３は、複数の床版保持／吊下用部材２３によって支持され、分離した状態で保持される。
【００５６】
よって、従来のように仮設のサポート架台を下層階の床版部材３上に設けて支持することを不要にし、安価な床版保持／吊下用部材２３を容易に床版部材３に取り付けて、切断分離した床版部材３を確実に保持することが可能になる。
【００５７】
また、切断分離した床版部材３に複数取り付けられた床版保持／吊下用部材２３の吊り孔２５ａに玉掛けすることで、ワイヤーロープ等の索体２２を容易に取り付けることができ、クレーン２によって床版部材３を吊り上げて容易に搬送撤去することができる。
【００５８】
さらに、クレーン２で床版部材３を解体作業場に吊り下した段階で、ナットを外すという簡易な操作で床版部材３から床版保持／吊下用部材２３を取り外すことができる。よって、この床版保持／吊下用部材２３を転用しながら床版部材３の切断分離、搬送撤去を行うことが可能になる。
【００５９】
一方、複数の床版保持／吊下用部材２３を予め床版部材３の所定位置に取り付けておくようにしてもよい。この場合には、例えば、図１０、図１１に示すように、床版保持／吊下用部材２３を取付ボルト２６の軸線Ｏ１周りに回動可能に構成しておき、切断作業開始時には、全ての床版保持／吊下用部材２３を回動してその向きを調整し、切断対象の床版部材３上に配されるようにしておく。そして、ブレードカッター装置で切断を開始し、切断が完了した箇所から順次床版保持／吊下用部材２３を回動させて、切断線２７を跨ぐようにその向きを変える。
【００６０】
これにより、上記と同様に、床版部材３が切断によって分離された状態では、適宜所定の箇所に配設された複数の床版保持／吊下用部材２３が切断線２７を挟んで反対側の非分離側の部材に引っかかるように係止され、これら床版保持／吊下用部材２３によって、切断分離した床版部材３が保持される。よって、このように構成した場合においても、上記と同様、従来のように仮設のサポート架台を下層階の床版部材３上に設けて支持することを不要にして、床版部材３を切断分離することができる。また、切断分離した床版部材３に複数取り付けられた床版保持／吊下用部材２３の吊り孔２５ａに玉掛けすることで、ワイヤーロープ等の索体２２を容易に取り付けることができ、クレーン２によって床版部材３を吊り上げて容易に搬送撤去することができる。
なお、床版保持／吊下用部材２３を切断線２７を跨ぐように配置した状態で、ボルトなどを用いて床版保持／吊下用部材２３と非分離側の部材とを着脱可能に固定するようにしてもよい。この場合には、切断分離した床版部材３をクレーン２で搬送撤去する際に、床版保持／吊下用部材２３と非分離側の部材の接合状態を解除するようにし、それまでの間、床版保持／吊下用部材２３と非分離側の部材とが固定されていることで、より安定した状態で切断分離した床版部材３を保持することができる。
【００６１】
［柱部材、梁部材の解体］
次に、柱部材６と梁部材４を解体する方法について説明する。
【００６２】
ここで、従来、Ｓ造の柱部材や梁部材（大梁、壁付大梁）を解体する際には、ガスバーナを用いて一部を残す形で柱部材や梁部材に切り込みを入れ、このように一部を残した段階でクレーン２によって吊り下げ支持し、最後に残りの部分をガスバーナで完全に切断して柱部材や梁部材を分離し、クレーン２で搬送撤去するようにしている。これにより、クレーン２で常時吊り下げ支持する必要がなく、また、ガスバーナにより鉄骨を短時間で切断することができるため、クレーン２の待機時間を短くすることができ、効率的にＳ造の柱部材や梁部材の解体作業を行うことができる。
【００６３】
一方、ＲＣ造、ＳＲＣ造の柱部材６や梁部材４を解体する際には、その切断がＳ造の場合ほど容易に行えないため、すなわち、切削時間が多くかかるため、Ｓ造の解体のように残りの部分を残した段階で、クレーンで２吊り下げ支持して、最後に残りの部分を切削するようにしても、クレーン２の待ち時間が長くなってしまう。また、ＲＣ造、ＳＲＣ造の柱部材６や梁部材４はＳ造と比較し大重量であるため、特に柱部材６は大重量であるため、切断作業時に確実に保持することが必要であり、さらに、切断途中に地震が発生することも考慮する必要がある。
【００６４】
これに対し、まず、本実施形態の建物の解体方法では、図１２に示すように、柱部材６や梁部材４（以下、建物構成部材４、６とする）に対し、図２から図４に示したワイヤーソー１６を押し付けるように作業者が１人で解体作業機１８を操作し、押し切り方式でワイヤーソー１６を建物構成部材４、６に切り込ませ、建物構成部材４、６を切断する。
【００６５】
さらに、上記のように建物構成部材４、６を押し切り方式のワイヤーソー装置１０で切断分離する際、切断の進行に伴い、建物構成部材４、６の自重により、建物構成部材４、６が傾いてワイヤーソー１６を挟んでしまうことも考えられるため、これに対して、クサビ部材３０を用いる。
【００６６】
さらに、切断途中、切断後の切断対象の建物構成部材４、６を安定した状態で保持するため、固定プレート３１を用いる。
【００６７】
より具体的に、本実施形態の建物の解体方法では、建物構成部材４、６を切断する際に、ワイヤーソー１６の進行に伴い、建物構成部材４、６の外面（側面）に形成された切断溝２７にクサビ部材３０を打ち込んで切断溝２７の幅を確保する。
【００６８】
また、ワイヤーソー１６の進行に伴い、建物構成部材４、６の外面（側面）に形成された切断溝２７を間に分離側の建物構成部材４、６と非分離側の建物構成部材４、６を連結するように固定プレート３１を設置する。
【００６９】
すなわち、図１２（ａ）に示すように、建物構成部材４、６の手前側からワイヤーソー１６を切り込ませ、建物構成部材４、６を押し切り方式で切削してゆく。また、図１２（ｂ）に示すように、ワイヤーソー装置１０（切削機構１７）のストロークエンドで切断を一旦停止し、この間に、形成された切断溝２７にクサビ部材３０を打ち込む。さらに、固定プレート３１を設置する。
【００７０】
ここで、本実施形態の固定プレート３１は、例えば図１３から図１７に示すように、例えば、厚さ９ｍｍ程度の鋼板などを用いて矩形平板状に形成されている。また、この固定プレート３１には、複数のボルト挿通孔３２（図１３参照）がそれぞれ所定位置に貫通形成されている。
【００７１】
そして、本実施形態の建物の解体方法では、図１２（ｂ）、図１３に示すように、切削の進行に伴い、順次クサビ部材３０を打ち込むとともに、建物構成部材４、６の外面に形成された切断溝（切断線）２７を挟んで分離側の建物構成部材４、６側と、非分離側の建物構成部材４、６側とにそれぞれケミカルアンカーなどのアンカーボルト３３を、材軸方向に沿って、且つ材軸方向に所定の間隔をあけ、所定位置に複数打ち込んでゆく。そして、切断作業中、複数のアンカーボルト３３の間隔に応じたボルト挿通孔３２を備えた固定プレート３１を、ボルト挿通孔３２にアンカーボルト３３を挿通し、切断溝２７を跨ぐようにセットし、ナットで締結する。
【００７２】
また、図１２（ｃ）に示すように、建物構成部材４、６を完全に切断する前の段階で、再度切断作業を一旦停止し、新たに形成された切断溝２７の部分に対し、クサビ部材３０を打ち込み、固定プレート３１を設置する。さらに、図１２（ｄ）に示すように、建物構成部材４、６を完全に切断した段階で、さらに、クサビ部材３０を打ち込み、固定プレート３１を設置する。
【００７３】
なお、切断作業を停止して、クサビ部材３０や固定プレート３１を設置するタイミングは、例えば、ワイヤーソー１６が建物構成部材４、６の所定位置にある主筋を目安に行うようにしてもよい。すなわち、例えば、切断すると耐力が大きく低下すると判断される主筋にワイヤーソー１６が当たったときに、切断作業を停止し、この主筋を切断する前にクサビ部材３０と固定プレート３１を設置するようにすればよい。
【００７４】
そして、このように順次クサビ部材３０を切断溝２４に打ち込んむことにより、切断の進行に伴い、自重によって建物構成部材４、６が傾いてワイヤーソー１６を挟むことがなく、円滑に切断作業を進めることが可能になるとともに、ワイヤーソー１６に破損などが生じることを防止できる。
【００７５】
また、切断途中、切断後の切断対象の建物構成部材４、６に随時固定プレート３１が設置され、分離側の建物構成部材４、６と非分離側の建物構成部材４、６とが固定プレート３１によって連結されている。これにより、例えば、切断作業中や切断分離した建物構成部材４、６を搬送撤去するまでの間に地震が発生しても、切断分離した建物構成部材４、６が倒れたり、落下することが防止される。
【００７６】
そして、切断分離した建物構成部材４、６をクレーン２などで搬送撤去する際には、クレーン２のワイヤーロープ等を建物構成部材４、６に接続して吊り下げ支持し、この状態で、固定プレート３１を取り外せばよい。
【００７７】
ここで、ワイヤーソー装置１０（ワイヤーソー１６）と建物構成部材４、６の外面との間に十分な隙間がなく、円形のボルト挿通孔３２が貫通形成された固定プレート３１では、ボルト挿通孔３２にアンカーボルト３３を挿通させることができず、設置できなくなる場合もある。
【００７８】
この場合には、図１８、図１９に示すように、複数のボルト挿通孔３５をそれぞれ、一方向に延びて固定プレート３４の一側端（一端部）に開口する長孔状でスリット状に形成した固定プレート３４を用いるようにすればよい。これにより、ワイヤーソー装置１０と建物構成部材４、６の外面との間の小さな隙間に固定プレート３４を差し込み、この固定プレート３４を一方向にスライドさせることで、各ボルト挿通孔３５にアンカーボルト３３を挿通させることができ、ナットを締結することで固定プレート３４を設置することができる。
【００７９】
また、図１９に示すように、ボルト挿通孔３６が貫通形成された補強プレート３７を固定プレート３４とともに設置することが好ましい。この補強プレート３７は、ボルト挿通孔３６にアンカーボルト３３を挿通させ、固定プレート３４に重ね、ナットを締結することにより設置される。これにより、固定プレート３４のボルト挿通孔３５を長孔状に形成しても、補強プレート３７を設けることで、分離側の建物構成部材４、６と、非分離側の建物構成部材４、６とを強固に連結することができる。
【００８０】
したがって、本実施形態の建物の解体方法においては、柱部材６や梁部材４などの建物構成部材に押し切り方式でワイヤーソー１６を切り込ませて順次形成される切断溝２７を間にして、分離側の建物構成部材４、６と非分離側の建物構成部材４、６にそれぞれ固設されたアンカーボルト３３をボルト挿通孔３２、３５に挿通し、ナットを締結することによって、建物構成部材４、６の外面に固定プレート３１、３４を設置でき、この固定プレート３１、３４によって分離側の建物構成部材４、６と非分離側の建物構成部材４、６を一時的に連結して保持することが可能になる。これにより、クレーン２で切断対象の建物構成部材４、６を保持する必要がなく、搬送撤去するまでの間、切断分離した建物構成部材４、６を安定した状態で保持することが可能になる。
【００８１】
よって、固定プレート３１、３４によって固定されていることで、切断作業中に地震が発生しても、分離側の建物構成部材（切断対象の建物構成部材）４、６が倒れることを防止できる。また、切断分離され、クレーン２などで搬送撤去される前の建物構成部材４、６も、固定プレート３１、３４で固定されていることにより倒れることを防止できる。
【００８２】
また、本実施形態の建物の解体方法においては、固定プレート３１、３４で固定し、切断対象の建物構成部材４、６が安定した状態で保持されるため、押し切り方式のワイヤーソー装置１０で、建物の主要構成部材であるＲＣ造及び／又はＳＲＣ造の柱部材６や梁部材４などの建物構成部材を切断分離することができる。これにより、騒音や振動、粉塵の飛散量を大幅に低減させることが可能になり、従来のように作業の中断や、作業時間の短縮を求められることのない近隣や作業現場内の好適な環境を保持することが可能になり、解体工事を効率よく円滑に進めることが可能になる。
【００８３】
また、このように押し切り方式のワイヤーソー装置１０で柱部材６や梁部材４などの建物構成部材を切断分離できることで、引き切り方式と比較し、切断作業時に切断対象の建物構成部材４、６にワイヤーソー１６を巻き掛けたり、ワイヤーソー装置１０の本体部をアンカーで部材に固定するなどの段取り作業が不要になり、効率的に部材の切断作業を行うことが可能になる。
【００８４】
また、押し切り方式のワイヤーソー装置１０を用いることで、１人の作業者で部材の切断作業を行うことが可能になり、さらなる作業効率の向上、コストの低減を図ることが可能になる。
【００８５】
さらに、引き切り方式のワイヤーソー装置のように、切断作業時にオープンな環境で長いワイヤーソーが回動している状態にならないため、ワイヤーソー１６の安定性を確保したり、切断作業周辺への他者の出入りを規制する措置、すなわち、作業の安全性を確保するための対策を軽減することも可能になる。
【００８６】
よって、本実施形態の建物の解体方法によれば、ＲＣ造及び／又はＳＲＣ造の建物１を、確実に騒音や振動の発生、粉塵の飛散を抑えつつ効率的に解体することができ、特に、病院や学校の周辺、市街地などにおける解体工事に好適に用いることが可能になる。
【００８７】
また、本実施形態の建物の解体方法においては、ワイヤーソー装置１０を用いて押し切り方式で建物構成部材４、６の切断を行う際に、ワイヤーソー装置１０のワイヤーソー１６と建物構成部材４、６の外面との間に十分な大きさの隙間がない場合には、固定プレート３４の複数のボルト挿通孔３５をそれぞれ、固定プレート３４の一端部に開口する長孔状でスリット状に形成する。これにより、ワイヤーソー装置１０と建物構成部材４、６の外面との間の小さな隙間に固定プレート３４を差し込み、一方向にスライドさせることで、各ボルト挿通孔３５にアンカーボルト３３を挿通させることができる。よって、アンカーボルト３３にナットを締結して固定プレート３４を設置することができ、ワイヤーソー１６と建物構成部材４、６の外面との間に十分な大きさの隙間がない場合であっても、固定プレート３４によって分離側の建物構成部材４、６と非分離側の建物構成部材４、６を一時的に連結して保持することが可能になる。
【００８８】
さらに、固定プレート３４を設置した後に、さらにアンカーボルト３３に挿通して補強プレート３７を固定プレート３４に重ねて設置することで、固定プレート３４に長孔状でスリット状にボルト挿通孔３５が形成されていても、補強プレート３７によって強度（耐力）を確保でき、十分な耐力で分離側の建物構成部材４、６と非分離側の建物構成部材４、６を連結して保持することが可能になる。
【００８９】
また、建物構成部材４、６を切断する際に、ワイヤーソー１６の進行に伴い、建物構成部材４、６の外面に形成された切断溝２７にクサビ部材３０を打ち込むことで、切断溝２７の幅を確保することができる。これにより、建物構成部材４、６の自重によって、切断溝（切断面）２７の間隔に応じて倒れが生じ、ワイヤーソー１６を挟み込んで、切断作業時にワイヤーソー１６に破断等が生じるおそれをなくすことができ、効率的に切断作業を行うことが可能になる。
【００９０】
以上、本発明に係る建物の解体方法の一実施形態について説明したが、本発明は上記の一実施形態に限定されるものではなく、その趣旨を逸脱しない範囲で適宜変更可能である。
【符号の説明】
【００９１】
１      建物
２      タワークレーン（揚重機）
３      床版部材（建物構成部材）
４      梁部材（建物構成部材）
５      壁部材（建物構成部材）
５ａ    下がり壁
５ｂ    腰壁
６      柱部材（建物構成部材）
１０    ワイヤーソー装置
１１    チルト機構付アダプター
１２    ガイドレール
１３    把持機構
１４    プーリー
１５    プーリー（駆動プーリー）
１６    ワイヤーソー
１７    切削機構
１８    解体作業機
１８ａ  上部旋回体
１８ｂ  ビーム
１８ｃ  アーム
１８ｄ  下部走行体
２０    上層階（一階層）
２１    下層階（他階層）
２２    索体
２３    床版保持／吊下用部材
２４    溝形鋼
２４ａ  側壁部
２４ｂ  底板部
２４ｃ  ボルト挿通孔
２５    吊り板
２５ａ  吊り孔
２６    取付ボルト（アンカーボルト）
２７    切断線（切断溝）
３０    クサビ部材
３１    固定プレート
３２    ボルト挿通孔
３３    アンカーボルト
３４    固定プレート
３５    ボルト挿通孔
３６    ボルト挿通孔
３７    補強プレート
Ｔ１    横方向
Ｔ２    上下方向
【図２】
2014201935.tif 000003
【図３】
2014201935.tif 000004
【図４】
2014201935.tif 000005
【図５】
2014201935.tif 000006
【図６】
2014201935.tif 000007
【図７】
2014201935.tif 000008
【図８】
2014201935.tif 000009
【図９】
2014201935.tif 000010
【図１０】
2014201935.tif 000011
【図１１】
2014201935.tif 000012
【図１２】
2014201935.tif 000013
【図１３】
2014201935.tif 000014
【図１４】
2014201935.tif 000015
【図１５】
2014201935.tif 000016
【図１６】
2014201935.tif 000017
【図１７】
2014201935.tif 000018
【図１８】
2014201935.tif 000019
【図１９】
2014201935.tif 000020
【図１】
2014201935.tif 000021